(57)【要約】【課題】  充電中に電池容量が減ってしまったり、充電時間が長くなってしまうことを防止する。充電の際におけるメイン回路への電源供給元の切り替えを自動で行う。【解決手段】  電子機器１００は、電池１からの電源供給を受けて動作するメイン回路４と、電池１からメイン回路４への電源供給をオン／オフするスイッチ２１を備える。電子機器１００と充電器２００が接続されているか否かに応じてスイッチ２１をオン／オフ切り替えるスイッチ制御信号を生成する。電子機器１００が充電器２００から外された状態ではスイッチ制御信号によりスイッチ２１がオンの状態となり電池１からメイン回路４へ電源供給される。電子機器１００が充電器２００に接続されると電池１の充電と充電器２００からメイン回路４への電源供給とが開始され、スイッチ制御信号によりスイッチ２１がオフとなり電池１からメイン回路４への電源供給が停止する。【選択図】    図１
2008148433.tif 000002
【特許請求の範囲】
【請求項１】
充電可能な電池を備える電子機器と、前記電子機器が接続された状態で前記電池を充電する充電器と、を備える充電システムにおいて、
前記電子機器は、
前記電池からの電源供給を受けて動作可能なメイン回路と、
前記電池から前記メイン回路への電源供給をオン／オフする電池−メイン回路電源供給スイッチと、
を備え、
当該充電システムは、前記電子機器と前記充電器とが接続されているか否かに応じて前記電池−メイン回路電源供給スイッチをオン／オフ切り替えさせるスイッチ制御信号を生成するスイッチ制御信号生成部を更に備え、
前記電子機器が前記充電器から取り外された状態では、前記スイッチ制御信号により前記電池−メイン回路電源供給スイッチがオンの状態となって前記電池から前記メイン回路へ電源供給され、
前記電子機器が前記充電器に接続されると、前記充電器から前記電池への充電と前記充電器から前記メイン回路への電源供給とが開始される一方で、前記スイッチ制御信号により前記電池−メイン回路電源供給スイッチがオフとなって前記電池から前記メイン回路への電源供給が停止することを特徴とする充電システム。
【請求項２】
充電可能な電池を備える電子機器と、前記電子機器が接続された状態で前記電池を充電する充電器と、を備える充電システムにおいて、
前記電子機器は、
前記電池からの電源供給を受けて動作可能なメイン回路と、
前記電池から前記メイン回路への電源供給をオン／オフする電池−メイン回路電源供給スイッチと、
前記充電器から供給される電源を、前記電池へ供給する電源と、前記メイン回路へ供給する電源と、に分けてそれぞれ供給する充電回路と、
を備え、
当該充電システムは、前記電子機器と前記充電器とが接続されているか否かに応じて前記電池−メイン回路電源供給スイッチをオン／オフ切り替えさせるスイッチ制御信号を生成するスイッチ制御信号生成部を更に備え、
前記電子機器が前記充電器から取り外された状態では、前記スイッチ制御信号により前記電池−メイン回路電源供給スイッチがオンの状態となって前記電池から前記メイン回路へ電源供給され、
前記電子機器が前記充電器に接続されると、前記充電器から前記充電回路を介して前記電池への充電が開始されるとともに前記充電器から前記充電回路を介して前記メイン回路への電源供給が開始される一方で、前記スイッチ制御信号により前記電池−メイン回路電源供給スイッチがオフとなって前記電池から前記メイン回路への電源供給が停止することを特徴とする充電システム。
【請求項３】
前記充電器は、
当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記充電器と前記電子機器とを接続した状態で、前記操作部が操作されると、前記電池−メイン回路電源供給スイッチがオンとなって前記電池から前記メイン回路への電源供給が開始され、
前記ロック機構による前記充電器と前記電子機器との接続状態の解除は、前記操作部を操作した状態でのみ行うことが可能に構成されていることを特徴とする請求項１又は２に記載の充電システム。
【請求項４】
前記スイッチ制御信号生成部は、
前記充電器の前記操作部が操作された状態において、前記スイッチ制御信号の元となる原制御信号を出力する原制御信号出力部と、
前記原制御信号出力部から入力される前記原制御信号をＮＯＴ出力するＮＯＴ回路と、
前記ＮＯＴ回路の出力と前記電源回路の出力とのＡＮＤ出力を前記スイッチ制御信号として出力するＡＮＤ回路と、
を備えることを特徴とする請求項３に記載の充電システム。
【請求項５】
前記原制御信号出力部は、前記電子機器と前記充電器とが接続された状態において、前記電源回路の出力を前記ＮＯＴ回路へ入力する状態と入力しない状態とに切り替えるＮＯＴ回路入力切り替えスイッチを備えて構成され、
前記ＮＯＴ回路入力切り替えスイッチは、前記操作部が操作された状態においてはオンとなり、前記電源回路の出力を前記ＮＯＴ回路へ入力させることを特徴とする請求項４に記載の充電システム。
【請求項６】
前記スイッチ制御信号生成部の前記ＮＯＴ回路の入力は、抵抗を介してグランド電位に接続されていることを特徴とする請求項３乃至５の何れか一項に記載の充電システム。
【請求項７】
前記電子機器が前記充電器に接続されてから所定の遅延時間が経過するまでの間は、前記電池−メイン回路電源供給スイッチがオンの状態で前記電池から前記メイン回路への電源供給は維持され、前記電子機器が前記充電器に接続されてから前記遅延時間が経過すると、前記電池−メイン回路電源供給スイッチがオフとなり前記電池から前記メイン回路への電源供給が停止することを特徴とする請求項１乃至６の何れか一項に記載の充電システム。
【請求項８】
前記スイッチ制御信号の伝達経路に遅延回路を設けたことにより、前記電子機器が前記充電器に接続されてから前記遅延時間が経過するまでの間は前記電池−メイン回路電源供給スイッチがオンの状態に維持されることを特徴とする請求項７に記載の充電システム。
【請求項９】
前記電池の充電中において前記メイン回路への電源供給量が不足する場合に、前記電池−メイン回路電源供給スイッチをオンにするスイッチ制御手段を更に備えることを特徴とする請求項１乃至７の何れか一項に記載の充電システム。
【請求項１０】
充電可能な電池を備え、充電器に接続することにより前記電池の充電が可能に構成された電子機器において、
前記電池からの電源供給を受けて動作可能なメイン回路と、
前記電池から前記メイン回路への電源供給をオン／オフする電池−メイン回路電源供給スイッチと、
を備え、
当該電子機器が前記充電器から取り外された状態では、前記電池−メイン回路電源供給スイッチがオンの状態となって前記電池から前記メイン回路へ電源供給され、
当該電子機器が前記充電器に接続されると、前記充電器から前記電池への充電と前記充電器から前記メイン回路への電源供給とが開始される一方で、前記電池−メイン回路電源供給スイッチがオフとなって前記電池から前記メイン回路への電源供給が停止することを特徴とする電子機器。
【請求項１１】
充電可能な電池を備え、充電器に接続することにより前記電池の充電が可能に構成された電子機器において、
前記電池からの電源供給を受けて動作可能なメイン回路と、
前記電池から前記メイン回路への電源供給をオン／オフする電池−メイン回路電源供給スイッチと、
前記充電器から供給される電源を、前記電池へ供給する電源と、前記メイン回路へ供給する電源と、に分けてそれぞれ供給する充電回路と、
を備え、
当該電子機器が前記充電器から取り外された状態では、前記電池−メイン回路電源供給スイッチがオンの状態となって前記電池から前記メイン回路へ電源供給され、
当該電子機器が前記充電器に接続されると、前記充電器から前記充電回路を介して前記電池への充電が開始されるとともに前記充電器から前記充電回路を介して前記メイン回路への電源供給が開始される一方で、前記電池−メイン回路電源供給スイッチがオフとなって前記電池から前記メイン回路への電源供給が停止することを特徴とする電子機器。
【請求項１２】
前記充電器は、
当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記充電器と前記電子機器とを接続した状態で、前記操作部が操作されると、前記電池−メイン回路電源供給スイッチがオンとなって前記電池から前記メイン回路への電源供給が開始され、
前記ロック機構による前記充電器と前記電子機器との接続状態の解除は、前記操作部を操作した状態でのみ行うことが可能に構成されていることを特徴とする請求項１０又は１１に記載の電子機器。
【請求項１３】
前記電子機器が前記充電器に接続されてから所定の遅延時間が経過するまでの間は、前記電池−メイン回路電源供給スイッチがオンの状態で前記電池から前記メイン回路への電源供給は維持され、前記電子機器が前記充電器に接続されてから前記遅延時間が経過すると、前記電池−メイン回路電源供給スイッチがオフとなり前記電池から前記メイン回路への電源供給が停止することを特徴とする請求項１０乃至１２の何れか一項に記載の電子機器。
【請求項１４】
前記電池の充電中において前記メイン回路への電源供給量が不足する場合に、前記電池−メイン回路電源供給スイッチをオンにするスイッチ制御手段を更に備えることを特徴とする請求項１０乃至１３の何れか一項に記載の電子機器。
【請求項１５】
当該電子機器は、携帯型通信端末装置であることを特徴とする請求項１０乃至１４の何れか一項に記載の電子機器。
【請求項１６】
当該電子機器は、携帯電話機であることを特徴とする請求項１５に記載の電子機器。
【請求項１７】
当該電子機器は、携帯型情報端末装置であることを特徴とする請求項１０乃至１６の何れか一項に記載の電子機器。
【請求項１８】
充電可能な電池と、前記電池からの電源供給を受けて動作可能なメイン回路と、前記電池から前記メイン回路への電源供給をオン／オフする電池−メイン回路電源供給スイッチと、を備える電子機器と接続することにより前記電池の充電が可能に構成された充電器であって、
当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記電子機器が当該充電器から取り外された状態では、前記電池−メイン回路電源供給スイッチがオンの状態となって前記電池から前記メイン回路へ電源供給され、
前記電子機器が当該充電器に接続されると、当該充電器から前記電池への充電と当該充電器から前記メイン回路への電源供給とが開始される一方で、前記電池−メイン回路電源供給スイッチがオフとなって前記電池から前記メイン回路への電源供給が停止し、
前記充電器と前記電子機器とを接続した状態で、前記操作部が操作されると、前記電池−メイン回路電源供給スイッチがオンとなって前記電池から前記メイン回路への電源供給が開始され、
前記ロック機構による前記充電器と前記電子機器との接続状態の解除は、前記操作部を操作した状態でのみ行うことが可能に構成されていることを特徴とする充電器。
【請求項１９】
充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と接続することにより前記電池の充電が可能に構成された充電器であって、
当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記電子機器が当該充電器から取り外された状態では、前記電池−メイン回路電源供給スイッチがオンの状態となって前記電池から前記メイン回路へ電源供給され、
前記電子機器が当該充電器に接続されると、当該充電器から前記充電回路を介して前記電池への充電が開始されるとともに当該充電器から前記充電回路を介して前記メイン回路への電源供給が開始される一方で、前記電池−メイン回路電源供給スイッチがオフとなって前記電池から前記メイン回路への電源供給が停止し、
前記充電器と前記電子機器とを接続した状態で、前記操作部が操作されると、前記電池−メイン回路電源供給スイッチがオンとなって前記電池から前記メイン回路への電源供給が開始され、
前記ロック機構による前記充電器と前記電子機器との接続状態の解除は、前記操作部を操作した状態でのみ行うことが可能に構成されていることを特徴とする充電器。
【請求項２０】
充電可能な電池と、前記電池からの電源供給を受けて動作可能なメイン回路と、前記電池から前記メイン回路への電源供給をオン／オフする電池−メイン回路電源供給スイッチと、を備える電子機器と、
前記電子機器が接続された状態で前記電池を充電する充電器と、
を備える充電システムの前記電子機器の電池を充電する方法であって、
前記充電器は、当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記電子機器が前記充電器から取り外された状態では、前記電池−メイン回路電源供給スイッチをオンの状態にして前記電池から前記メイン回路へ電源供給する第１の過程と、
前記電子機器が前記充電器に接続されると、前記充電器から前記電池への充電と前記充電器から前記メイン回路への電源供給とを開始し、前記電池−メイン回路電源供給スイッチをオフにして前記電池から前記メイン回路への電源供給を停止する第２の過程と、
前記充電器と前記電子機器とを接続した状態で、前記操作部が操作されると、前記電池−メイン回路電源供給スイッチをオンにして前記電池から前記メイン回路への電源供給を開始する第３の過程と、
前記操作部が操作された状態でのみ前記ロック機構による前記充電器と前記電子機器との接続状態の解除を可能とさせる第４の過程と、
を備えることを特徴とする充電方法。
【請求項２１】
充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と、
前記電子機器が接続された状態で前記電池を充電する充電器と、
を備える充電システムの前記電子機器の電池を充電する方法であって、
前記充電器は、当該充電器と前記電子機器とを接続状態に維持させるロック機構と、
前記ロック機構による当該充電器と前記電子機器との接続状態を解除するための操作をユーザが行うための操作部と、
前記電子機器に供給する電源を生成する電源回路と、
を備え、
前記電子機器が前記充電器から取り外された状態では、前記電池−メイン回路電源供給スイッチをオンの状態にして前記電池から前記メイン回路へ電源供給する第１の過程と、
前記電子機器が前記充電器に接続されると、前記充電器から前記充電回路を介して前記電池への充電を開始するとともに前記充電器から前記充電回路を介して前記メイン回路への電源供給を開始し、前記電池−メイン回路電源供給スイッチをオフにして前記電池から前記メイン回路への電源供給を停止する第２の過程と、
前記充電器と前記電子機器とを接続した状態で、前記操作部が操作されると、前記電池−メイン回路電源供給スイッチをオンにして前記電池から前記メイン回路への電源供給を開始する第３の過程と、
前記操作部が操作された状態でのみ前記ロック機構による前記充電器と前記電子機器との接続状態の解除を可能とさせる第４の過程と、
を備えることを特徴とする充電方法。
【請求項２２】
充電可能な電池と、前記電池からの電源供給を受けて動作可能なメイン回路と、前記電池から前記メイン回路への電源供給をオン／オフする電池−メイン回路電源供給スイッチと、を備える電子機器と、
前記電子機器が接続された状態で前記電池を充電する充電器と、
を備える充電システムの前記電子機器の電池を充電する方法であって、
前記電子機器が前記充電器から取り外された状態では、前記電池−メイン回路電源供給スイッチをオンの状態にして前記電池から前記メイン回路へ電源供給する第１の過程と、
前記電子機器が前記充電器に接続されると、前記充電器から前記電池への充電と前記充電器から前記メイン回路への電源供給とを開始する第２の過程と、
前記電子機器が前記充電器に接続されてから所定の遅延時間が経過するまでの間は、前記電池−メイン回路電源供給スイッチをオンの状態に維持することにより前記電池から前記メイン回路への電源供給を維持する第３の過程と、
前記電子機器が前記充電器に接続されてから前記遅延時間が経過すると、前記電池−メイン回路電源供給スイッチをオフに切り替えて前記電池から前記メイン回路への電源供給を停止する第４の過程と、
を備えることを特徴とする充電方法。
【請求項２３】
充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と、
前記電子機器が接続された状態で前記電池を充電する充電器と、
を備える充電システムの前記電子機器の電池を充電する方法であって、
前記電子機器が前記充電器から取り外された状態では、前記電池−メイン回路電源供給スイッチをオンの状態にして前記電池から前記メイン回路へ電源供給する第１の過程と、
前記電子機器が前記充電器に接続されると、前記充電器から前記充電回路を介して前記電池への充電を開始するとともに前記充電器から前記充電回路を介して前記メイン回路への電源供給を開始する第２の過程と、
前記電子機器が前記充電器に接続されてから所定の遅延時間が経過するまでの間は、前記電池−メイン回路電源供給スイッチをオンの状態に維持することにより前記電池から前記メイン回路への電源供給を維持する第３の過程と、
前記電子機器が前記充電器に接続されてから前記遅延時間が経過すると、前記電池−メイン回路電源供給スイッチをオフに切り替えて前記電池から前記メイン回路への電源供給を停止する第４の過程と、
を備えることを特徴とする充電方法。
【請求項２４】
前記電池の充電中において、前記メイン回路への電源供給量が不足するか否かを判定する過程と、
前記電池の充電中において前記メイン回路への電源供給量が不足すると判定された場合に、前記電池−メイン回路電源供給スイッチをオンにする過程と、
を更に備えることを特徴とする請求項２０乃至２３の何れか一項に記載の充電方法。
【発明の詳細な説明】
【技術分野】
【０００１】
本発明は、充電が必要な電子機器、その充電器、充電システム及び充電方法に関する。
【背景技術】
【０００２】
従来、携帯電話機或いはその他の電子機器の電池を充電するときにも、その電子機器が備える回路のうち電池からの電源供給を受けて動作する各種の回路（以下、メイン回路という）への電源供給は電池から行われていた。
【０００３】
このため、充電しているにもかかわらず電池容量が減ってしまうという問題や、充電時間が長くなってしまうという問題があった。
【０００４】
このような問題に鑑みなされた従来技術としては、例えば、特許文献１の技術がある。
【０００５】
特許文献１には、充電器から電池へ充電電力が供給される通話装置において、メイン回路への電力供給を電池を経由しないで充電器から直接行うための電力供給端子と、電池へ蓄積された電力のメイン回路への電力供給をオン・オフする第１のスイッチと、前記電力供給端子を介してメイン回路へ供給される電力をオン・オフする第２のスイッチと、を備える通話装置が開示されている。
【０００６】
特許文献１の通話装置における第１及び第２のスイッチは、通話装置の操作パネルに配置された小型スイッチ、またはこの小型スイッチによりオン／オフが制御される半導体スイッチなどである。つまり、第１及び第２のスイッチのオン／オフ切替は、それぞれユーザが操作することにより行われる。
【特許文献１】特開平１０−０２３１１３号公報
【発明の開示】
【発明が解決しようとする課題】
【０００７】
しかしながら、上記の特許文献１の技術では、電池からメイン回路への電力供給のオン／オフ（すなわち第１のスイッチのオン／オフ）、並びに、充電器からメイン回路への電力供給のオン／オフ（すなわち第２のスイッチのオン／オフ）を、それぞれユーザが操作パネルを操作することにより行う必要がある。
【０００８】
このため、例えば、ユーザが操作を忘れると、充電しているにもかかわらず電池容量が減ってしまうという問題や、充電時間が長くなってしまうという問題が生じる。更に、ユーザが操作を忘れると、充電器から通話装置を取り外した後で、電池からの電源供給が行われず、通話装置が動作できないという問題もある。
【０００９】
更に、特許文献１の技術では、メイン回路への電源供給元を電池から充電器に切り替える操作をユーザが行う際に、第２のスイッチをオンにする前に第１のスイッチをオフにしてしまうと、メイン回路への電源供給が一時的に遮断されるため、実行中の処理が中断してしまうことがある。
【００１０】
よって、例えば、メイン回路による通信処理中に電源遮断が生じると、通信が遮断されてしまうという問題がある。具体的には、例えば、通話が遮断されたり、或いは、データ（電子メールやダウンロードデータなど）の受信中にメイン回路の電源遮断が生じたために、データの受信が遅れたり、処理を再び最初から行う必要が生じたりするという問題がある。
【００１１】
本発明は、上記のような問題点を解決するためになされたもので、充電中に電池容量が減ってしまったり、充電時間が長くなってしまうことを防止できるとともに、充電の際におけるメイン回路への電源供給元の切り替えを自動的に行うことが可能な電子機器、充電器、充電システム及び充電方法を提供することを目的とする。
【００１２】
更に、本発明は、好ましくは、メイン回路への電源供給元の切り替わりの際における一時的な電源供給遮断を回避できるような電子機器、充電器、充電システム及び充電方法を提供することを目的とする。
【課題を解決するための手段】
【００１３】
上記課題を解決するため、本発明の充電システムは、充電可能な電池を備える電子機器と、前記電子機器が接続された状態で前記電池を充電する充電器と、を備える充電システムにおいて、前記電子機器は、前記電池からの電源供給を受けて動作可能なメイン回路と、前記電池から前記メイン回路への電源供給をオン／オフする電池−メイン回路電源供給スイッチと、を備え、当該充電システムは、前記電子機器と前記充電器とが接続されているか否かに応じて前記電池−メイン回路電源供給スイッチをオン／オフ切り替えさせるスイッチ制御信号を生成するスイッチ制御信号生成部を更に備え、前記電子機器が前記充電器から取り外された状態では、前記スイッチ制御信号により前記電池−メイン回路電源供給スイッチがオンの状態となって前記電池から前記メイン回路へ電源供給され、前記電子機器が前記充電器に接続されると、前記充電器から前記電池への充電と前記充電器から前記メイン回路への電源供給とが開始される一方で、前記スイッチ制御信号により前記電池−メイン回路電源供給スイッチがオフとなって前記電池から前記メイン回路への電源供給が停止することを特徴としている。
【００１４】
また、本発明の充電システムは、充電可能な電池を備える電子機器と、前記電子機器が接続された状態で前記電池を充電する充電器と、を備える充電システムにおいて、前記電子機器は、前記電池からの電源供給を受けて動作可能なメイン回路と、前記電池から前記メイン回路への電源供給をオン／オフする電池−メイン回路電源供給スイッチと、前記充電器から供給される電源を、前記電池へ供給する電源と、前記メイン回路へ供給する電源と、に分けてそれぞれ供給する充電回路と、を備え、当該充電システムは、前記電子機器と前記充電器とが接続されているか否かに応じて前記電池−メイン回路電源供給スイッチをオン／オフ切り替えさせるスイッチ制御信号を生成するスイッチ制御信号生成部を更に備え、前記電子機器が前記充電器から取り外された状態では、前記スイッチ制御信号により前記電池−メイン回路電源供給スイッチがオンの状態となって前記電池から前記メイン回路へ電源供給され、前記電子機器が前記充電器に接続されると、前記充電器から前記充電回路を介して前記電池への充電が開始されるとともに前記充電器から前記充電回路を介して前記メイン回路への電源供給が開始される一方で、前記スイッチ制御信号により前記電池−メイン回路電源供給スイッチがオフとなって前記電池から前記メイン回路への電源供給が停止することを特徴としている。
【００１５】
本発明の充電システムにおいては、前記充電器は、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記充電器と前記電子機器とを接続した状態で、前記操作部が操作されると、前記電池−メイン回路電源供給スイッチがオンとなって前記電池から前記メイン回路への電源供給が開始され、前記ロック機構による前記充電器と前記電子機器との接続状態の解除は、前記操作部を操作した状態でのみ行うことが可能に構成されていることが好ましい。
【００１６】
本発明の充電システムにおいては、前記スイッチ制御信号生成部は、前記充電器の前記操作部が操作された状態において、前記スイッチ制御信号の元となる原制御信号を出力する原制御信号出力部と、前記原制御信号出力部から入力される前記原制御信号をＮＯＴ出力するＮＯＴ回路と、前記ＮＯＴ回路の出力と前記電源回路の出力とのＡＮＤ出力を前記スイッチ制御信号として出力するＡＮＤ回路と、を備えることが好ましい。
【００１７】
本発明の充電システムにおいては、前記原制御信号出力部は、前記電子機器と前記充電器とが接続された状態において、前記電源回路の出力を前記ＮＯＴ回路へ入力する状態と入力しない状態とに切り替えるＮＯＴ回路入力切り替えスイッチを備えて構成され、前記ＮＯＴ回路入力切り替えスイッチは、前記操作部が操作された状態においてはオンとなり、前記電源回路の出力を前記ＮＯＴ回路へ入力させることが好ましい。
【００１８】
本発明の充電システムにおいては、前記スイッチ制御信号生成部の前記ＮＯＴ回路の入力は、抵抗を介してグランド電位に接続されていることが好ましい。
【００１９】
本発明の充電システムにおいては、前記電子機器が前記充電器に接続されてから所定の遅延時間が経過するまでの間は、前記電池−メイン回路電源供給スイッチがオンの状態で前記電池から前記メイン回路への電源供給は維持され、前記電子機器が前記充電器に接続されてから前記遅延時間が経過すると、前記電池−メイン回路電源供給スイッチがオフとなり前記電池から前記メイン回路への電源供給が停止することが好ましい。
【００２０】
本発明の充電システムにおいては、前記スイッチ制御信号の伝達経路に遅延回路を設けたことにより、前記電子機器が前記充電器に接続されてから前記遅延時間が経過するまでの間は前記電池−メイン回路電源供給スイッチがオンの状態に維持されることが好ましい。
【００２１】
本発明の充電システムにおいては、前記電池の充電中において前記メイン回路への電源供給量が不足する場合に、前記電池−メイン回路電源供給スイッチをオンにするスイッチ制御手段を更に備えることが好ましい。
【００２２】
本発明の電子機器は、充電可能な電池を備え、充電器に接続することにより前記電池の充電が可能に構成された電子機器において、前記電池からの電源供給を受けて動作可能なメイン回路と、前記電池から前記メイン回路への電源供給をオン／オフする電池−メイン回路電源供給スイッチと、を備え、当該電子機器が前記充電器から取り外された状態では、前記電池−メイン回路電源供給スイッチがオンの状態となって前記電池から前記メイン回路へ電源供給され、当該電子機器が前記充電器に接続されると、前記充電器から前記電池への充電と前記充電器から前記メイン回路への電源供給とが開始される一方で、前記電池−メイン回路電源供給スイッチがオフとなって前記電池から前記メイン回路への電源供給が停止することを特徴としている。
【００２３】
本発明の電子機器は、充電可能な電池を備え、充電器に接続することにより前記電池の充電が可能に構成された電子機器において、前記電池からの電源供給を受けて動作可能なメイン回路と、前記電池から前記メイン回路への電源供給をオン／オフする電池−メイン回路電源供給スイッチと、前記充電器から供給される電源を、前記電池へ供給する電源と、前記メイン回路へ供給する電源と、に分けてそれぞれ供給する充電回路と、を備え、当該電子機器が前記充電器から取り外された状態では、前記電池−メイン回路電源供給スイッチがオンの状態となって前記電池から前記メイン回路へ電源供給され、当該電子機器が前記充電器に接続されると、前記充電器から前記充電回路を介して前記電池への充電が開始されるとともに前記充電器から前記充電回路を介して前記メイン回路への電源供給が開始される一方で、前記電池−メイン回路電源供給スイッチがオフとなって前記電池から前記メイン回路への電源供給が停止することを特徴としている。
【００２４】
本発明の電子機器においては、前記充電器は、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記充電器と前記電子機器とを接続した状態で、前記操作部が操作されると、前記電池−メイン回路電源供給スイッチがオンとなって前記電池から前記メイン回路への電源供給が開始され、前記ロック機構による前記充電器と前記電子機器との接続状態の解除は、前記操作部を操作した状態でのみ行うことが可能に構成されていることが好ましい。
【００２５】
本発明の電子機器においては、前記電子機器が前記充電器に接続されてから所定の遅延時間が経過するまでの間は、前記電池−メイン回路電源供給スイッチがオンの状態で前記電池から前記メイン回路への電源供給は維持され、前記電子機器が前記充電器に接続されてから前記遅延時間が経過すると、前記電池−メイン回路電源供給スイッチがオフとなり前記電池から前記メイン回路への電源供給が停止することが好ましい。
【００２６】
本発明の電子機器においては、前記電池の充電中において前記メイン回路への電源供給量が不足する場合に、前記電池−メイン回路電源供給スイッチをオンにするスイッチ制御手段を更に備えることが好ましい。
【００２７】
本発明の電子機器は、携帯電話機或いはその他の携帯型通信端末装置が好ましい一例である。
【００２８】
或いは、本発明の電子機器は、携帯型情報端末装置であることも好ましい。
【００２９】
本発明の充電器は、充電可能な電池と、前記電池からの電源供給を受けて動作可能なメイン回路と、前記電池から前記メイン回路への電源供給をオン／オフする電池−メイン回路電源供給スイッチと、を備える電子機器と接続することにより前記電池の充電が可能に構成された充電器であって、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記電子機器が当該充電器から取り外された状態では、前記電池−メイン回路電源供給スイッチがオンの状態となって前記電池から前記メイン回路へ電源供給され、前記電子機器が当該充電器に接続されると、当該充電器から前記電池への充電と当該充電器から前記メイン回路への電源供給とが開始される一方で、前記電池−メイン回路電源供給スイッチがオフとなって前記電池から前記メイン回路への電源供給が停止し、前記充電器と前記電子機器とを接続した状態で、前記操作部が操作されると、前記電池−メイン回路電源供給スイッチがオンとなって前記電池から前記メイン回路への電源供給が開始され、前記ロック機構による前記充電器と前記電子機器との接続状態の解除は、前記操作部を操作した状態でのみ行うことが可能に構成されていることを特徴としている。
【００３０】
また、本発明の充電器は、充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と接続することにより前記電池の充電が可能に構成された充電器であって、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記電子機器が当該充電器から取り外された状態では、前記電池−メイン回路電源供給スイッチがオンの状態となって前記電池から前記メイン回路へ電源供給され、前記電子機器が当該充電器に接続されると、当該充電器から前記充電回路を介して前記電池への充電が開始されるとともに当該充電器から前記充電回路を介して前記メイン回路への電源供給が開始される一方で、前記電池−メイン回路電源供給スイッチがオフとなって前記電池から前記メイン回路への電源供給が停止し、前記充電器と前記電子機器とを接続した状態で、前記操作部が操作されると、前記電池−メイン回路電源供給スイッチがオンとなって前記電池から前記メイン回路への電源供給が開始され、前記ロック機構による前記充電器と前記電子機器との接続状態の解除は、前記操作部を操作した状態でのみ行うことが可能に構成されていることを特徴としている。
【００３１】
本発明の充電方法は、充電可能な電池と、前記電池からの電源供給を受けて動作可能なメイン回路と、前記電池から前記メイン回路への電源供給をオン／オフする電池−メイン回路電源供給スイッチと、を備える電子機器と、前記電子機器が接続された状態で前記電池を充電する充電器と、を備える充電システムの前記電子機器の電池を充電する方法であって、前記充電器は、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記電子機器が前記充電器から取り外された状態では、前記電池−メイン回路電源供給スイッチをオンの状態にして前記電池から前記メイン回路へ電源供給する第１の過程と、前記電子機器が前記充電器に接続されると、前記充電器から前記電池への充電と前記充電器から前記メイン回路への電源供給とを開始し、前記電池−メイン回路電源供給スイッチをオフにして前記電池から前記メイン回路への電源供給を停止する第２の過程と、前記充電器と前記電子機器とを接続した状態で、前記操作部が操作されると、前記電池−メイン回路電源供給スイッチをオンにして前記電池から前記メイン回路への電源供給を開始する第３の過程と、前記操作部が操作された状態でのみ前記ロック機構による前記充電器と前記電子機器との接続状態の解除を可能とさせる第４の過程と、を備えることを特徴としている。
【００３２】
また、本発明の充電方法は、充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と、前記電子機器が接続された状態で前記電池を充電する充電器と、を備える充電システムの前記電子機器の電池を充電する方法であって、前記充電器は、当該充電器と前記電子機器とを接続状態に維持させるロック機構と、前記ロック機構による当該充電器と前記電子機器との接続状態を解除するための操作をユーザが行うための操作部と、前記電子機器に供給する電源を生成する電源回路と、を備え、前記電子機器が前記充電器から取り外された状態では、前記電池−メイン回路電源供給スイッチをオンの状態にして前記電池から前記メイン回路へ電源供給する第１の過程と、前記電子機器が前記充電器に接続されると、前記充電器から前記充電回路を介して前記電池への充電を開始するとともに前記充電器から前記充電回路を介して前記メイン回路への電源供給を開始し、前記電池−メイン回路電源供給スイッチをオフにして前記電池から前記メイン回路への電源供給を停止する第２の過程と、前記充電器と前記電子機器とを接続した状態で、前記操作部が操作されると、前記電池−メイン回路電源供給スイッチをオンにして前記電池から前記メイン回路への電源供給を開始する第３の過程と、前記操作部が操作された状態でのみ前記ロック機構による前記充電器と前記電子機器との接続状態の解除を可能とさせる第４の過程と、を備えることを特徴としている。
【００３３】
また、本発明の充電方法は、充電可能な電池と、前記電池からの電源供給を受けて動作可能なメイン回路と、前記電池から前記メイン回路への電源供給をオン／オフする電池−メイン回路電源供給スイッチと、を備える電子機器と、前記電子機器が接続された状態で前記電池を充電する充電器と、を備える充電システムの前記電子機器の電池を充電する方法であって、前記電子機器が前記充電器から取り外された状態では、前記電池−メイン回路電源供給スイッチをオンの状態にして前記電池から前記メイン回路へ電源供給する第１の過程と、前記電子機器が前記充電器に接続されると、前記充電器から前記電池への充電と前記充電器から前記メイン回路への電源供給とを開始する第２の過程と、前記電子機器が前記充電器に接続されてから所定の遅延時間が経過するまでの間は、前記電池−メイン回路電源供給スイッチをオンの状態に維持することにより前記電池から前記メイン回路への電源供給を維持する第３の過程と、前記電子機器が前記充電器に接続されてから前記遅延時間が経過すると、前記電池−メイン回路電源供給スイッチをオフに切り替えて前記電池から前記メイン回路への電源供給を停止する第４の過程と、を備えることを特徴としている。
【００３４】
また、本発明の充電方法は、充電可能な電池と、前記電池からの電源供給を受けて動作可能なメイン回路と、前記電池から前記メイン回路への電源供給をオン／オフする電池−メイン回路電源供給スイッチと、前記充電器から供給される電源を前記電池へ供給する電源と前記メイン回路へ供給する電源とに分けてそれぞれ供給する充電回路と、を備える電子機器と、前記電子機器が接続された状態で前記電池を充電する充電器と、を備える充電システムの前記電子機器の電池を充電する方法であって、前記電子機器が前記充電器から取り外された状態では、前記電池−メイン回路電源供給スイッチをオンの状態にして前記電池から前記メイン回路へ電源供給する第１の過程と、前記電子機器が前記充電器に接続されると、前記充電器から前記充電回路を介して前記電池への充電を開始するとともに前記充電器から前記充電回路を介して前記メイン回路への電源供給を開始する第２の過程と、前記電子機器が前記充電器に接続されてから所定の遅延時間が経過するまでの間は、前記電池−メイン回路電源供給スイッチをオンの状態に維持することにより前記電池から前記メイン回路への電源供給を維持する第３の過程と、前記電子機器が前記充電器に接続されてから前記遅延時間が経過すると、前記電池−メイン回路電源供給スイッチをオフに切り替えて前記電池から前記メイン回路への電源供給を停止する第４の過程と、を備えることを特徴としている。
【００３５】
本発明の充電方法においては、前記電池の充電中において、前記メイン回路への電源供給量が不足するか否かを判定する過程と、前記電池の充電中において前記メイン回路への電源供給量が不足すると判定された場合に、前記電池−メイン回路電源供給スイッチをオンにする過程と、を更に備えることが好ましい。
【発明の効果】
【００３６】
本発明によれば、電子機器が充電器から取り外された状態では、スイッチ制御信号により電池−メイン回路電源供給スイッチがオンの状態となって電池からメイン回路へ電源供給され、電子機器が充電器に接続されると、充電器から電池への充電と充電器からメイン回路への電源供給とが開始される一方で、スイッチ制御信号により電池−メイン回路電源供給スイッチがオフとなって電池からメイン回路への電源供給が停止する。
【００３７】
或いは、本発明によれば、電子機器が充電器から取り外された状態では、スイッチ制御信号により電池−メイン回路電源供給スイッチがオンの状態となって電池からメイン回路へ電源供給され、電子機器が充電器に接続されると、充電器から充電回路を介して電池への充電が開始されるとともに充電器から充電回路を介してメイン回路への電源供給が開始される一方で、スイッチ制御信号により電池−メイン回路電源供給スイッチがオフとなって電池からメイン回路への電源供給が停止する。
【００３８】
よって、電子機器が充電器に接続された状態では電池からメイン回路への電源供給を行わないようにでき、充電時間短縮及び電池容量節約を行うことができる。充電の際における電池−メイン回路電源供給スイッチの切り替えを自動的に行うことができるため、ユーザが特別な操作を行わなくても、充電しているにもかかわらず電池容量が減ってしまうという問題や、充電時間が長くなってしまうという問題を回避できる。
【００３９】
また、充電器と電子機器とを接続した状態で、充電器の操作部が操作されると、電池−メイン回路電源供給スイッチがオンとなって電池からメイン回路への電源供給が開始され、充電器のロック機構による充電器と電子機器との接続状態の解除は、操作部を操作した状態でのみ行うことが可能に構成すれば、電子機器を充電器から取り外した状態では、必ず、電池からメイン回路への電源供給が開始されているようにでき、メイン回路への電源供給が一時的に遮断されてしまうことがない。
【００４０】
また、電子機器が充電器に接続されてから所定の遅延時間が経過するまでの間は、電池−メイン回路電源供給スイッチがオンの状態で電池からメイン回路への電源供給は維持され、電子機器が充電器に接続されてから遅延時間が経過すると、電池−メイン回路電源供給スイッチがオフとなり電池からメイン回路への電源供給が停止するように構成すれば、電子機器を充電器に接続した際に、メイン回路への電源供給が一時的に遮断されてしまうことがないようにできる。
【発明を実施するための最良の形態】
【００４１】
以下、図面を参照して、本発明に係る実施形態について説明する。
【００４２】
〔第１の実施形態〕
図１は第１の実施形態に係る充電システム３００の構成を示す図、図２は充電システム３００の構成を示す模式図である。図３は携帯電話機（電子機器、携帯型通信端末装置）１００が備える切り替え回路３の構成を示す図である。
【００４３】
図１及び図２に示すように、第１の実施形態に係る充電システム３００は、携帯電話機１００と、この携帯電話機１００の電池１を充電する際に該携帯電話機１００が接続されるＡＣアダプタ２００と、を備えて構成されている。
【００４４】
図１に示すように、携帯電話機１００は、着脱可能に携帯電話機１００に設けられ充電可能であり携帯電話機１００の電源として機能する電池１と、電池１に充電用の電源（図１のＶＣＨＧ１）を供給するとともにメイン回路４には動作用の電源（図１のＶＣＨＧ２）を供給可能な充電回路２と、電池１から供給される電源（図１のＶＢＡＴに基づく図３のＶＢＡＴ２）と充電回路２から供給される電源（図１のＶＣＨＧ２）のうちの少なくとも何れか一方からなる電源（図１のＶＭＡＩＮ）を用いて動作するメイン回路４と、電池１から供給される電源（図１のＶＢＡＴに基づく図３のＶＢＡＴ２）をメイン回路４に供給するか否かを切り替える切り替え回路３と、ＡＮＤ回路５と、ＮＯＴ回路６と、抵抗１３と、充電回路２と電池１との間に直列に接続されたダイオード７と、電池１と切り替え回路３との間に直列に接続されたダイオード８と、ＡＣアダプタ２００の後述するロック機構１５と係合する係合部９（図２）と、ＡＣアダプタ２００の端子１６ａ、１６ｂ（図２）とそれぞれ電気的に接続される端子１０ａ、１０ｂ（図２）と、を備えている。
【００４５】
なお、メイン回路４とは、携帯電話機１００が備える構成要素のうち、図１の電源ＶＭＡＩＮを用いて動作するものを総称している。例えば、ＣＰＵなどを含む制御回路、無線通信を行う無線回路、各種の表示動作を行う液晶表示装置、発音動作を行うスピーカ、各種の発光部材、撮像動作を行うカメラなどがメイン回路４に含まれる。
【００４６】
図３に示すように、切り替え回路３は、電池１から供給される電源（電池１から切り替え回路３に供給されるＶＢＡＴに基づくＶＢＡＴ２）をメイン回路４へ供給するか否かを切り替えるスイッチ２１と、このスイッチ２１の一方の端子とメイン回路４との間に直列に接続されたダイオード２２と、ＡＮＤ回路５の出力（後述するＡＮＤ＿ＯＵＴ）が入力される遅延回路２３と、充電回路２の出力（図１のＶＣＨＧ２の出力）とメイン回路４との間に直列に接続されたダイオード２４と、を備えている。
【００４７】
スイッチ２１の他方の端子には、電池６の出力がダイオード８を介して接続されている。
【００４８】
また、電池１からの電源であるＶＢＡＴは、スイッチ２１への入力前に分岐し、遅延回路２３にも動作用電源として入力されている。
【００４９】
ＡＣアダプタ２００は、図２に示すように、スイッチ１１と、このスイッチ１１をオンにさせる操作をユーザが行うための操作部１２と、充電のためＡＣアダプタ２００に携帯電話機１００が接続された状態において携帯電話機１００の係合部９に対して係合するロック機構１５と、電源コード１８と、この電源コード１８の先端に設けられたコンセントプラグ（図示略）と、電源コード１８を介して供給される商用の交流電源を降圧及び直流電源に変換することにより所定の電圧の電源（ＶＡＤＰ）を生成して所定の電流量で出力可能な電源回路１７と、この電源回路１７の出力が接続された端子１６ａと、電源回路１７の出力とスイッチ１１の一方の端子との間に直列に接続された抵抗１４と、スイッチ１１の他方の端子に接続された端子１６ｂと、を備えて構成されている。
【００５０】
このうち端子１６ａは、充電のためＡＣアダプタ２００に携帯電話機１００が接続された状態において、携帯電話機１００の端子１０ａと電気的に接続した状態となる。
【００５１】
また、端子１６ｂは、充電のためＡＣアダプタ２００に携帯電話機１００が接続された状態において、携帯電話機１００の端子１０ｂと電気的に接続した状態となる。
【００５２】
ＡＣアダプタ２００のコンセントプラグを商用電源のコンセントに差し込むことにより、商用電源が電源コード８を介してＡＣアダプタ２００に供給され、ＡＣアダプタ２００の電源回路１７が電源（ＶＡＤＰ）を生成する状態となる。
【００５３】
また、携帯電話機１００を充電のためにＡＣアダプタ２００に接続すると、ＡＣアダプタ２００のロック機構１５が携帯電話機１００の係合部９に対し係合して携帯電話機１００とＡＣアダプタ２００とがロック状態（携帯電話機１００がＡＣアダプタ２００から外れない状態）となるとともに、端子１０ａは端子１６ａに、端子１０ｂは端子１６ｂに、それぞれ電気的に接続された状態となる。
【００５４】
ロック機構１５は、具体的には、例えば、その両端に出没可能な突出部１５ａ、１５ｂを備え、携帯電話機１００をＡＣアダプタ２００に接続すると、該ロック機構１５の両端の突出部１５ａ、１５ｂが突出することにより係合部９に対して係合し、携帯電話機１００とＡＣアダプタとがロック状態となるように構成されている。
【００５５】
ロック機構１５と係合部９とが係合している間は、端子１０ａと端子１６ａとが電気的な接続状態に維持されるとともに、端子１０ｂと端子１６ｂとが電気的な接続状態に維持される。
【００５６】
ロック機構１５と係合部９との係合状態は、操作部１２を押下操作してスイッチ１１をオンにした状態でのみ、解除できるようになっている。すなわち、一旦、携帯電話機１００をＡＣアダプタ２００に接続した後は、操作部１２を押下してスイッチ１１をオンにした状態でないと、携帯電話機１００をＡＣアダプタ２００から取り外せないようになっている。
【００５７】
操作部１２を押下操作してスイッチ１１をオンにした状態では、ロック機構１５の一対の突出部１５ａ、１５ｂが没して係合部９から外れ、携帯電話機１００をＡＣアダプタ２００から取り外すことができるようになる。
【００５８】
なお、ロック機構１５の突出部１５ａ、１５ｂは、例えば、操作部１２の押下操作に機械的に連動することにより没して係合部９から外れる。
【００５９】
ＡＣアダプタ２００が商用電源に接続され、且つ、ＡＣアダプタ２００に携帯電話機１００が接続された状態では、ＡＣアダプタ２００の電源回路１７により生成された電源（ＶＡＤＰ）は、端子１６ａ及び端子１０ａを介して充電回路２に供給される。
【００６０】
充電回路２は、ＡＣアダプタ２００からの電源（ＶＡＤＰ）を、ＶＣＨＧ１及びＶＣＨＧ２の２つの電源に分ける。
【００６１】
充電回路２は、このうちＶＣＨＧ２をメイン回路４に供給可能である。
【００６２】
なお、ＶＣＨＧ２の供給経路に直列に設けられたダイオード２４（図３）のアノードは充電回路２側に、カソードはメイン回路４側に、それぞれ接続されている。このため、ＶＣＨＧ２は、ダイオード２４により、メイン回路４側から充電回路２側への逆流が防止されている。
【００６３】
また、充電回路２は、ＶＣＨＧ１を電池１へ供給することにより該電池１を充電可能である。
【００６４】
なお、ＶＣＨＧ１の供給経路に直列に設けられたダイオード７のアノードは充電回路２側に、カソードは電池１側に、それぞれ接続されている。このため、ＶＣＨＧ１は、ダイオード７により、電池１側から充電回路２側への逆流が防止されている。
【００６５】
電池１は、切り替え回路３を介して電源（電池１から切り替え回路３に出力されるＶＢＡＴに基づくＶＢＡＴ２）をメイン回路４に供給可能となっている。
【００６６】
すなわち、切り替え回路３は、図３のスイッチ２１がオンのときには、電池１からのＶＢＡＴに基づくＶＢＡＴ２をメイン回路４に供給する一方で、スイッチ２１がオフのときにはＶＢＡＴ２をメイン回路４に供給しない。
【００６７】
なお、電池１から切り替え回路３への電源ＶＢＡＴの供給経路に直列に設けられたダイオード８のアノードは電池１側に、カソードは切り替え回路３側に、それぞれ接続されている。このため、ＶＢＡＴは、ダイオード８により、切り替え回路３側から電池１側への逆流が防止されている。
【００６８】
更に、スイッチ２１からメイン回路４への電源ＶＢＡＴ２の供給経路に直列に設けられたダイオード２２のアノードはスイッチ２１側に、カソードはメイン回路４側に、それぞれ接続されている。このため、ＶＢＡＴ２は、ダイオード２２により、メイン回路４側からスイッチ２１側への逆流が防止されている。
【００６９】
スイッチ２１の制御端子には、遅延回路２３を介してＡＮＤ回路５の出力信号（ＡＮＤ＿ＯＵＴ）が入力され、この出力信号が“Ｈ（ハイ）”又は“Ｌ（ロー）”の何れであるかに応じてスイッチ２１がオン／オフされるようになっている。
【００７０】
スイッチ２１としては、具体的には、例えば、その制御端子に入力される信号が“Ｌ”のときにオンとなるスイッチを用いる。
【００７１】
また、ＡＣアダプタ２００から携帯電話機１００に供給されるＶＡＤＰは、例えば携帯電話機１００の内部において分岐し、ＡＮＤ回路５が備える２つの入力端子のうちの一方の入力端子にも供給される。
【００７２】
また、電源回路１７から出力されるＶＡＤＰは、携帯電話機１００がＡＣアダプタ２００に接続され、且つ、スイッチ１１がオンのときには、抵抗１４、スイッチ１１、端子１６ｂ及び端子１０ｂを介して、ＮＯＴ回路６の入力端子にも供給される。
【００７３】
なお、このようにＡＣアダプタ２００からＮＯＴ回路６の入力端子に入力される信号をＡＣＡＤＰ＿ＳＷ（図１）ということとする。
【００７４】
ＮＯＴ回路６の入力端子の電位は、携帯電話機１００がＡＣアダプタ２００に接続され、且つ、スイッチ１１がオンのときには“Ｈ”となる。
【００７５】
ここで、ＮＯＴ回路６の入力端子は、抵抗１３を介してグランド電位に接続されている。このため、スイッチ１１がオフとなるか又は携帯電話機１００がＡＣアダプタ２００から取り外された状態では、ＮＯＴ回路６の入力端子はグランド電位、すなわち“Ｌ”となる。
【００７６】
また、抵抗１４は、ＶＡＤＰを、端子１６ａ及び端子１０ａを介して携帯電話機１００に供給される成分と、抵抗１４、スイッチ１１、端子１６ｂ及び端子１０ｂを介してＮＯＴ回路６の入力端子に供給される成分と、に適宜の分圧比で分けるためのものである。
【００７７】
ＮＯＴ回路６の出力端子は、ＡＮＤ回路５の他方の入力端子に接続されている。なお、このようにＮＯＴ回路６の出力端子からＡＮＤ回路５の入力端子に入力される信号をＮＯＴ＿ＯＵＴ（図１）ということとする。
【００７８】
ＡＮＤ回路５は、ＮＯＴ回路６からの出力（ＮＯＴ＿ＯＵＴ）とＶＡＤＰとのＡＮＤ出力であるＡＮＤ＿ＯＵＴを、該ＡＮＤ回路５の出力端子から切り替え回路３内の遅延回路２３（図３）へ出力する。
【００７９】
遅延回路２３は、ＡＮＤ＿ＯＵＴを所定の遅延時間だけ遅延させてスイッチ２１の制御端子へ出力する（図３のＤＥＬＡＹ＿ＯＵＴを出力する）。
【００８０】
なお、以上において、ＡＮＤ回路５、ＮＯＴ回路６、スイッチ１１、抵抗１３及び抵抗１４によりスイッチ制御信号生成部が構成され、このうちスイッチ１１は原制御信号出力部のＮＯＴ回路入力切り替えスイッチを構成している。
【００８１】
次に、動作を説明する。
【００８２】
図４は充電システム３００の動作の流れを説明するためのタイムチャートである。
【００８３】
以下、図４に示す期間Ａ〜Ｅの動作について順に説明する。
【００８４】
＜期間Ａの動作＞
図４に示す期間Ａは、携帯電話機１００がＡＣアダプタ２００に接続されていない状態において、電池１を携帯電話機１００に装着したときから始まる期間である。
【００８５】
この期間Ａにおいては、メイン回路４への電源供給は電池１から行われる。
【００８６】
期間Ａの動作は、詳細には以下のようになる。
【００８７】
携帯電話機１００がＡＣアダプタ２００に接続されていないため、ＡＣアダプタ２００からの電源であるＶＡＤＰと、充電回路２からの電源であるＶＣＨＧ１及びＶＣＨＧ２は、“Ｌ”となる（電源供給されない）。
【００８８】
ＡＣアダプタ２００のスイッチ１１からの出力であるＡＣＡＤＰ＿ＳＷは、携帯電話機１００がＡＣアダプタ２００に接続されていないため“Ｌ”となる。よって、ＮＯＴ回路６の出力であるＮＯＴ＿ＯＵＴは“Ｈ”となる。
【００８９】
ＡＮＤ回路５の出力であるＡＮＤ＿ＯＵＴは、ＶＡＤＰが“Ｌ”であり、ＮＯＴ回路３から入力されるＮＯＴ＿ＯＵＴが“Ｈ”であるので、“Ｌ”となる。
【００９０】
ＡＮＤ回路５の出力であるＡＮＤ＿ＯＵＴが“Ｌ”のときには、遅延回路２３の出力であるＤＥＬＡＹ＿ＯＵＴも“Ｌ”となるため、スイッチ２１はオンとなる。このため、電池１からのＶＢＡＴに基づくＶＢＡＴ２がスイッチ２１及びダイオード２２を介してメイン回路４へ供給される。
【００９１】
すなわち、期間Ａにおいては、ＶＭＡＩＮは電池１からのＶＢＡＴに基づくＶＢＡＴ２となる。
【００９２】
＜期間Ｂの動作＞
図４に示す期間Ｂは、電池１が携帯電話機１００に装着されている状態において、携帯電話機１００がＡＣアダプタ２００に接続されたときから始まり、遅延回路２３による遅延時間が経過すると終了する期間である。また、期間Ｂにおいては、操作部１２が押下されておらず、従って、スイッチ１１がオフであるものとする。
【００９３】
携帯電話機１００がＡＣアダプタ２００に接続されると切り替え回路３によりメイン回路４への電源供給が電池１から充電回路２に切り替わるが、切り替え回路３の内部に遅延回路２３があるため、所定の遅延時間の間はメイン回路４への電源供給は電池１及び充電回路２の双方から行われる。
【００９４】
これにより、メイン回路４への電源供給元が電池１から充電回路２に切り替わる際に、一時的にメイン回路４の電源が遮断されてしまうことを防止できるようになっている。なお、電池１への充電は、期間Ｂから開始される。
【００９５】
期間Ｂの動作は、詳細には以下のようになる。
【００９６】
携帯電話機１００がＡＣアダプタ２００に接続されると、ＡＣアダプタ２００のロック機構１５が携帯電話機１００の係合部９に対し係合して携帯電話機１００とＡＣアダプタ２００とがロック状態となるとともに、端子１０ａは端子１６ａに、端子１０ｂは端子１６ｂに、それぞれ電気的に接続された状態となる。
【００９７】
よって、ＡＣアダプタ２００からの電源であるＶＡＤＰが充電回路２及びＡＮＤ回路５の一方の入力端子に供給される状態となる。すなわち、ＡＮＤ回路５の一方の入力端子に供給されるＶＡＤＰは“Ｈ”となる。
【００９８】
ＡＣアダプタ２００のスイッチ１１の出力であるＡＣＡＤＰ＿ＳＷは、スイッチ１１がオンでないため“Ｌ”となる。このため、ＮＯＴ回路６の出力であるＮＯＴ＿ＯＵＴは“Ｈ”となる。
【００９９】
ＡＮＤ回路５の出力であるＡＮＤ＿ＯＵＴは、ＡＣアダプタ２００からのＶＡＤＰは“Ｈ”であり、ＮＯＴ回路６からのＮＯＴ＿ＯＵＴも“Ｈ”であるので“Ｈ”となる。
【０１００】
ＡＮＤ回路４の出力であるＡＮＤ＿ＯＵＴが“Ｈ”になってから所定の遅延時間が経過するまでの間は遅延回路２３の出力であるＤＥＬＡＹ＿ＯＵＴは“Ｌ”のままとなり切り替え回路３のスイッチ２１はオンのままとなるため、スイッチ２１の出力であるＶＢＡＴ２がメイン回路４へ供給される状態のままとなる。
【０１０１】
また、ＡＣアダプタ２００から充電回路２にＶＡＤＰが供給されるので、充電回路２はＶＣＨＧ２を切り替え回路３へ出力し、このＶＣＨＧ２は、切り替え回路３内のダイオード２４を介してメイン回路４へ供給される。
【０１０２】
すなわち、期間Ｂにおいては、メイン回路４には、電源（ＶＭＡＩＮ）として、電池１からのＶＢＡＴ２と充電回路２からのＶＣＨＧ２の双方が供給される。
【０１０３】
このように遅延回路２３による遅延時間の間は電池１及び充電回路２の双方からメイン回路４へ電源供給するのは、メイン回路４への供給電源（ＶＭＡＩＮ）が電池１の出力に基づくＶＢＡＴ２から充電回路２の出力であるＶＣＨＧ２へ切り替わる瞬間に電源が落ちてしまうことを防ぐためである。
【０１０４】
なお、この期間Ｂから、電池１には充電回路２から充電のためにＶＣＨＧ１が供給されるため電池１には充電が行われる。
【０１０５】
＜期間Ｃの動作＞
図４に示す期間Ｃは、電池１を携帯電話機１００に装着されている状態において、携帯電話機１００をＡＣアダプタ２００に接続後、遅延回路２３による遅延時間が経過してから始まる期間である。
【０１０６】
先の期間Ｂでは、遅延回路２３のはたらきによって、メイン回路４への電源供給は電池１と充電回路２の双方から行われるが、この期間Ｃでは、メイン回路４への電源供給は充電回路２からのみになる。
【０１０７】
なお、この期間Ｃにおいても期間Ｂと同様に、電池１には充電回路２から充電のための電源が供給されて充電が行われる。
【０１０８】
期間Ｃの動作は、詳細には以下のようになる。
【０１０９】
携帯電話機１００をＡＣアダプタ２００に接続してから遅延回路２３による所定の遅延時間が経過すると、遅延回路２３の出力であるＤＥＬＡＹ＿ＯＵＴは“Ｌ”から“Ｈ”へ切り替わるため、切り替え回路３のスイッチ２１はオンからオフへ切り替わる。このため、ＶＢＡＴ２はメイン回路４へ出力されなくなる。つまり、電池１からの出力であるＶＢＡＴはメイン回路４への電源供給経路から切り離される。
【０１１０】
よって、期間Ｃにおいては、メイン回路４には、電源（ＶＭＡＩＮ）として、充電回路２からのＶＣＨＧ２のみが供給される。
【０１１１】
なお、期間Ｃにおいても、電池１には充電回路２から充電のためにＶＣＨＧ１が供給されるため電池１には充電が行われる。
【０１１２】
＜期間Ｄの動作＞
図４に示す期間Ｄは、携帯電話機１００をＡＣアダプタ２００から取り外すために、ユーザがＡＣアダプタ２００の操作部１２を押下操作してスイッチ１１をオンにしているが、未だ携帯電話機１００がＡＣアダプタ２００に接続されたままの状態である期間である。
【０１１３】
上記のように、携帯電話機１００は、スイッチ１１をオンにした状態でないとＡＣアダプタ２００から取り外せない構造となっているため、携帯電話機１００をＡＣアダプタ２００から取り外すためには操作部１２を操作してスイッチ１１をオンにする必要がある。
【０１１４】
ＡＣアダプタ２００のスイッチ１１がオンとなってから遅延時間２３による所定の遅延時間が経過すると、切り替え回路３のスイッチ２１はオンとなるので、電池１からメイン回路４への電源供給が再開される。
【０１１５】
また、ＡＣアダプタ２００のスイッチ１１がオンとなっていても、携帯電話機１００をＡＣアダプタ２００に接続しているうちは、充電回路２からメイン回路４への電源供給は継続される。
【０１１６】
このため、期間Ｄにおいては、メイン回路４への電源供給は電池１と充電回路２の双方から行われる状態となる。
【０１１７】
さらに、期間Ｄにおいては、携帯電話機１００がＡＣアダプタ２００に接続されたままの状態であるため、充電回路２から電池１への給電も継続されるので電池１への充電も継続される。
【０１１８】
期間Ｄの動作は、詳細には以下のようになる。
【０１１９】
携帯電話機１００をＡＣアダプタ２００から取り外すには、ＡＣアダプタ２００の操作部１２を操作してスイッチ１１をオンにし、ＡＣアダプタ２００のロック機構１５と携帯電話機１００の係合部９との係合状態を解除した状態とする必要がある。つまり、操作部１２を押下しながらでないと、携帯電話機１００をＡＣアダプタ２００から取り外すことはできないようになっている。
【０１２０】
ＡＣアダプタ２００の操作部１２が操作されることによりＡＣアダプタ２００のスイッチ１１がオンとなると、ロック機構１５の一対の突出部１５ａ、１５ｂが没して係合部９から外れ、携帯電話機１００をＡＣアダプタ２００から取り外すことができるようになる。
【０１２１】
ＡＣアダプタ２００の操作部１２が操作されることによりＡＣアダプタ２００のスイッチ１１がオンとなると、該スイッチ１１の出力であるＡＣＡＤＰ＿ＳＷは“Ｈ”となり、ＮＯＴ回路６の出力であるＮＯＴ＿ＯＵＴは“Ｌ”となる。
【０１２２】
また、ＡＮＤ回路５には、ＮＯＴ回路６からの“Ｌ”と、ＡＣアダプタ２００からの電源であるＶＡＤＰ =“Ｈ”と、が入力されるため、ＡＮＤ回路５の出力であるＡＮＤ＿ＯＵＴは“Ｌ”となる。
【０１２３】
ＡＮＤ回路５の出力であるＡＮＤ＿ＯＵＴが“Ｌ”となってから、遅延回路２３による所定の遅延時間が経過すると、遅延回路２３の出力であるＤＥＬＡＹ＿ＯＵＴも“Ｌ”となる。ここで、遅延回路２３による遅延時間は、ＡＣアダプタ２００の操作部１２を押下操作して携帯電話機１００をＡＣアダプタ２００から取り外す作業を行うのに必要な時間と比べて、極めて短い時間とされている。このため、実質的には、ユーザが操作部１２を押下すると、直ちに、遅延回路２３の出力であるＤＥＬＡＹ＿ＯＵＴは“Ｌ”となる。
【０１２４】
遅延回路２３の出力であるＤＥＬＡＹ＿ＯＵＴも“Ｌ”となると、切り替え回路３のスイッチ２１はオンとなるので、スイッチ２１からメイン回路４へＶＢＡＴ２が出力される状態となる。
【０１２５】
また、期間Ｄにおいては、未だ携帯電話機１００がＡＣアダプタ２００に接続されたままの状態であるため、充電回路２からのＶＣＨＧ２もメイン回路４へ供給される状態のままである。
【０１２６】
すなわち、期間Ｄにおいては、メイン回路４には、電源（ＶＭＡＩＮ）として、電池１からのＶＢＡＴ２及び充電回路２からのＶＣＨＧ２が供給される。
【０１２７】
また、期間Ｄから、電池１には充電回路２から充電のためにＶＣＨＧ１が供給されるため電池１には充電が行われる。
【０１２８】
＜期間Ｅの動作＞
図４に示す期間Ｅは、携帯電話機１００がＡＣアダプタ２００から取り外された状態の期間であり、期間Ａと同様である。
【０１２９】
すなわち、期間Ｅにおいては、携帯電話機１００がＡＣアダプタ２００に接続されていないため、ＡＣアダプタ２００からの電源であるＶＡＤＰと、充電回路２からの電源であるＶＣＨＧ１及びＶＣＨＧ２は、“Ｌ”となる。
【０１３０】
また、ＡＣアダプタ２００のスイッチ１１からの出力であるＡＣＡＤＰ＿ＳＷは、携帯電話機１００がＡＣアダプタ２００に接続されていないため“Ｌ”となる。よって、ＮＯＴ回路６の入力端子の電位は、抵抗１３を介してグランドに流れることにより“Ｌ”となる。このため、ＮＯＴ回路６の出力であるＮＯＴ＿ＯＵＴは“Ｈ”となる。
【０１３１】
ＡＮＤ回路５の出力であるＡＮＤ＿ＯＵＴは、ＶＡＤＰが“Ｌ”であり、ＮＯＴ回路３から入力されるＮＯＴ＿ＯＵＴが“Ｈ”であるので、“Ｌ”となる。
【０１３２】
また、遅延回路２３の出力であるＤＥＬＡＹ＿ＯＵＴも“Ｌ”となるため、スイッチ２１はオンとなる。このため、電池１からのＶＢＡＴに基づくＶＢＡＴ２がスイッチ２１及びダイオード２２を介してメイン回路４へ供給される。
【０１３３】
すなわち、期間Ｅにおいては、期間Ａと同様に、ＶＭＡＩＮは電池１からのＶＢＡＴに基づくＶＢＡＴ２となる。
【０１３４】
以上のような第１の実施形態によれば、以下のような効果が得られる。
【０１３５】
第１の効果は、携帯電話機１００をＡＣアダプタ２００に接続する時に電池１からメイン回路４への電源供給経路を切り離すことにより電池１による供給から充電回路２による供給へ切り替えるので、電池１の容量の節約ができることである。
【０１３６】
第２の効果は、携帯電話機１００をＡＣアダプタ２００に接続する時に電池１からメイン回路４への電源供給経路を切り離すことにより電池１による供給から充電回路２による供給へ切り替え、その状態で電池１の充電を行うので、充電時間を短縮できることである。
【０１３７】
第３の効果は、ＡＣアダプタ２００のスイッチ１１をオンにした状態でないと携帯電話機１００をＡＣアダプタ２００から取り外せない構成とし、且つ、ＡＣアダプタ２００のスイッチ１１がオンとなると、電池１からメイン回路４への電源供給が再開される構成としているため、携帯電話機１００をＡＣアダプタ２００から取り外すときに、メイン回路４への電源供給が一時的に遮断されてしまうことを防止できることである。
【０１３８】
第４の効果は、携帯電話機１００をＡＣアダプタ２００に接続する時における電池１からメイン回路４への電源供給経路の切り離しを、所定の遅延時間経過後に行う構成としたので、電池１からメイン回路４への電源供給経路を切り離すときに、メイン回路４への電源供給が一時的に遮断されてしまうことを防止できることである。
【０１３９】
〔第２の実施形態〕
図５は第２の実施形態に係る充電システム３００の構成を示す図、図６は第２の実施形態に係る充電システム３００が備える切り替え回路３の構成を示す図である。
【０１４０】
第２の実施形態は、図５に示すように、ＶＣＨＧ１の供給経路にＶＣＨＧ１の電流量を検出する電流検出回路３３を備える点と、図６に示すように、メイン回路４へのＶＣＨＧ２の供給を停止可能とさせるスイッチ３２をＶＣＨＧ２の供給経路に備える点と、このスイッチ３２及びスイッチ２１のオン／オフ制御を図５に示すＣＰＵ（スイッチ制御手段）３１が実行可能である点でのみ上記の第１の実施形態と相違する。
【０１４１】
ＣＰＵ３１は、携帯電話機１００の動作を統括的に制御するものであり、メイン回路４に含まれている。
【０１４２】
電流検出回路３３は、充電回路２から電池１に供給されるＶＣＨＧ１の電流量を検出し、その検出結果をＣＰＵ３１に入力する。
【０１４３】
ここで、メイン回路４における電流消費量が多くなると、ＶＣＨＧ１の電流量が低下する。
【０１４４】
ＣＰＵ３１は、ＶＣＨＧ１の値が所定の閾値を下回った場合に、ＡＣアダプタ２００から充電回路２を介して供給される電源（ＶＣＨＧ２）ではメイン回路４への電流の供給が不足していると判断し、スイッチ２１をオンにする一方でスイッチ３２をオフにすることにより、メイン回路４に供給する電源をＶＣＨＧ２からＶＢＡＴ２に切り替える。なお、この切り替えの際に、スイッチ２１をオンにしてから所定時間が経過後にスイッチ３２をオフにすることにより、この切り替えの際におけるメイン回路４の一時的電源遮断を回避できる。
【０１４５】
なお、このようにＣＰＵ３１の判断によりメイン回路４の電源供給元を充電回路２から電池１に切り替えるのは、例えば、図４の期間Ｃにおいてのみ行うことが好ましい。
【０１４６】
以上のような第２の実施形態によれば、ＣＰＵ３１の判断によりメイン回路４の電源供給元を充電回路２から電池１に切り替えるので、ＡＣアダプタ２００の着脱のタイミング以外でも電源の切り替えを行うことができる。
【０１４７】
なお、上記の第２の実施形態においては、ＡＣアダプタ２００から充電回路２を介して供給される電源（ＶＣＨＧ２）ではメイン回路４への電流の供給が不足しているとＣＰＵ３１が判断した場合に、ＶＣＨＧ２とＶＢＡＴ２の双方がメイン回路４に供給される状態となるようにＣＰＵ３１がスイッチ３２をオンにしても良い。
【０１４８】
また、上記の第２の実施形態では、ＣＰＵ３１がメイン回路４の処理内容に応じてメイン回路４の消費電力を判断し、メイン回路４への電力供給が不足する場合にスイッチ２１，３２をオン／オフするようにしても良い。すなわち、例えば、携帯電話機１００は、メイン回路４による各種の処理（通話時の処理、音楽再生時の処理など）と、各々の処理の際に必要な電流値と、の対応をテーブルとして記憶保持した記憶部（図示略）を備え、ＣＰＵ３１は、常時、メイン回路４の処理内容を監視し、監視結果とテーブルとを比較することにより、メイン回路４への電力供給が不足するかどうかを判断するようにしても良い。このようなメイン回路４の処理内容に応じた消費電力の判断は、上記の第２の実施形態で説明したＶＣＨＧ１の電流値の監視結果に応じた判断に加えて行うことも好ましい。
【０１４９】
また、上記の各実施形態では、ＡＮＤ回路５、ＮＯＴ回路６及び抵抗１３が携帯電話機１００に備えられ、スイッチ１１からの出力（ＡＣＡＤＰ＿ＳＷ）がＡＣアダプタ２００から端子１６ｂ及び端子１０ｂを介して携帯電話機１００へ出力される構成を説明したが、ＡＮＤ回路５、ＮＯＴ回路６及び抵抗１３をＡＣアダプタ２００に備え、ＡＮＤ回路５の出力がＡＣアダプタ２００から端子１６ｂ及び端子１０ｂを介して携帯電話機１００へ出力されるように構成しても良い。
【０１５０】
また、上記の各実施形態では、ＡＮＤ回路５、ＮＯＴ回路６及び抵抗１３が携帯電話機１００内において、切り替え回路３の外部に備えられた構成を説明したが、ＡＮＤ回路５及びＮＯＴ回路６を切り替え回路３内に設けたり、或いは、ＡＮＤ回路５、ＮＯＴ回路６及び抵抗１３を切り替え回路３内に設けても良い。
【０１５１】
また、上記の各実施形態では、図１及び図５に示すようにＡＣアダプタ２００の抵抗１４の一端（スイッチ１１に接続されているのとは反対側の一端）がＡＣアダプタ２００内においてＶＡＤＰの供給経路に接続されている例を説明したが、例えば図７に示すように抵抗１４の一端がＡＣアダプタ２００−携帯電話機１００間の図示しない端子を介して携帯電話機１００内におけるＶＡＤＰの供給経路に接続された構成としても良い。
【０１５２】
また、上記の各実施形態では、携帯電話機１００が充電回路２を備える例を説明したが、充電回路２に相当する構成をＡＣアダプタ２００側に設けても良い。
【０１５３】
また、上記の各実施形態では、本発明に係る充電システムを携帯電話機１００に適用した例を説明したが、本発明は、この例に限らず、携帯電話機以外の携帯端末情報装置（ＰＨＳ、ＰＤＡ、電子手帳など）や、携帯電話機以外の通信端末装置（ＰＨＳ、ＰＤＡなど）にも適用可能である。更に、本発明は、これらの例に限らず、充電が必要なその他の電子機器にも適用可能である。
【図面の簡単な説明】
【０１５４】
【図１】第１の実施形態に係る充電システムの構成を示す図である。
【図２】第１の実施形態に係る充電システムの構成を示す模式図である。
【図３】第１の実施形態に係る携帯電話機が備える切り替え回路の構成を示す図である。
【図４】第１の実施形態に係る充電システムの動作の流れを説明するためのタイムチャートである。
【図５】第２の実施形態に係る充電システムの構成を示す図である。
【図６】第２の実施形態に係る充電システムが備える切り替え回路の構成を示す図である。
【図７】充電システムの変形例を示す図である。
【符号の説明】
【０１５５】
１      電池
２      充電回路
４      メイン回路
５      ＡＮＤ回路（スイッチ制御信号生成部を構成する）
６      ＮＯＴ回路（スイッチ制御信号生成部を構成する）
９      係合部
１０ａ  端子
１０ｂ  端子
１１    スイッチ（ＮＯＴ回路入力切り替えスイッチ：原制御信号出力部を構成し、スイッチ制御信号生成部を構成する）
１２    操作部
１３    抵抗
１５    ロック機構
１６ａ  端子
１６ｂ  端子
１７    電源回路
２１    スイッチ（電池−メイン回路電源供給スイッチ）
２３    遅延回路
３１    ＣＰＵ（スイッチ制御手段）
３２    スイッチ
３３    電流検出回路
１００  携帯電話機（電子機器）
２００  ＡＣアダプタ（充電器）
３００  充電システム
【図１】
2008148433.tif 000003
【図２】
2008148433.tif 000004
【図３】
2008148433.tif 000005
【図４】
2008148433.tif 000006
【図５】
2008148433.tif 000007
【図６】
2008148433.tif 000008
【図７】
2008148433.tif 000009